(57)【特許請求の範囲】
【請求項１】
カードを収容するカード収納部と、
このカード収納部から前記カードを投出口に搬送する搬送手段と、
この搬送手段による搬送方向の前記投出口より上流側に設けられ搬送される前記カードを前記投出口および前記カードを回収する回収部に振り分ける振分手段と、
この振分手段に設けられ前記投出口から挿入される異物を係止する逆止手段とを具備し、
前記振分手段は、振分レバーと、この振分レバーを搬送手段にて搬送されるカードを投出口に案内する投出位置および搬送される前記カードの通過位置に突出し前記カードを回収部に案内する回収位置に回動させる回動手段とを備え、
前記逆止手段は、前記振分レバーに前記投出口に対向して切欠形成された切込部である
ことを特徴としたカード発行装置。
【発明の詳細な説明】
【０００１】
【発明の属する技術分野】
本発明は、カード収納部内のカードを搬送手段にて投出口から発行し不良なカードは振分手段にて回収部に振り分けて回収するカード発行装置に関する。
【０００２】
【従来の技術】
従来、この種のカード発行装置としては、例えば実開平２−３４５４１号公報に記載の構成が知られている。
【０００３】
この実開平２−３４５４１号公報に記載のカード発行装置は、カードを複数枚積層収納するカード収納部の下部にカードを１枚ずつ発行する投出口に搬送する搬送手段を設けている。そして、発行指令によりカード収納部から繰り出されたカードを搬送手段にて搬送しつつ読取手段にてカードの不良箇所を読み取り、カードが正常の場合は搬送手段による搬送方向に沿った水平姿勢の振分レバー上をカードが搬送されて投出口から発行され、読取手段が不良箇所を検知した場合には、振分レバーを搬送方向と交差する方向である上方に回動させてこの振分レバーの下方に位置するカード回収部に収容する構成が採られている。
【０００４】
【発明が解決しようとする課題】
しかしながら、上記実開平２−３４５４１号公報に記載の従来のカード発行装置において、誤ってカードが投出口から搬送手段の搬送方向に反して強制的に挿入された場合、この強制的に挿入されたカードが搬送経路内で詰りを生じ、詰ったカードを取り除く保守が困難となるとともに、搬送手段などの構成部材を損傷するおそれもある。
【０００５】
そこで、カードの発行の際には投出口を開口させ誤挿入の際には投出口を閉塞させるシャッタやストッパなどの部材を設けてカードの誤挿入を防止することも考えられるが、別部材が必要で構造が複雑となり製造性および装置コストが増大する。
【０００６】
一方、投出口近傍にカードを投出口から発行させる搬送手段となるローラを設け、このローラをカードの発行方向となる搬送方向には自由に回転可能で反対方向となる誤挿入方向には回転しないようにワンウェイクラッチによって支持する構成も考えられるが、ポリエチレンテレフタレート製のカードなどの比較的剛性の高いカードが誤挿入される場合には、誤挿入されたカードがローラと滑りを起こして誤挿入が確実に防止できない問題がある。
【０００７】
本発明は、上記問題点に鑑みなされたもので、簡単な構成でカードなどの異物の誤挿入を防止できるカード発行装置を提供することを目的とする。
【０００８】
【課題を解決するための手段】
請求項１記載のカード発行装置は、カードを収容するカード収納部と、このカード収納部から前記カードを投出口に搬送する搬送手段と、この搬送手段による搬送方向の前記投出口より上流側に設けられ搬送される前記カードを前記投出口および前記カードを回収する回収部に振り分ける振分手段と、この振分手段に設けられ前記投出口から挿入される異物を係止する逆止手段とを具備し、振分手段は、振分レバーと、この振分レバーを搬送手段にて搬送されるカードを投出口に案内する投出位置および搬送される前記カードの通過位置に突出し前記カードを回収部に案内する回収位置に回動させる回動手段とを備え、前記逆止手段は、前記振分レバーに前記投出口に対向して切欠形成された切込部である。そして、カード収納部に収納されたカードを投出口へ搬送する搬送手段の投出口より上流側に、搬送されるカードを投出口およびカードを回収する回収部に振り分ける振分手段を設け、この振分レバーに投出口に投出口から挿入される異物を係止する逆止手段を設けたため、搬送手段による搬送方向と反対方向である投出口から挿入される異物は逆止手段にて係止されて挿入が防止され、異物の誤挿入による損傷を防止する。さらに、カード収納部に収納されたカードを投出口へ搬送する搬送手段の投出口より上流側に、搬送されるカードを投出口に案内する投出位置およびカードの通過位置に突出してカードを回収部に案内する回収位置に回動する振分レバーを設け、この振分レバーに投出口に対向して投出口から挿入される異物を係止する切込部を切欠形成したため、簡単な構成で投出口から挿入される異物は切欠部に係止されて挿入が防止され、異物の誤挿入による損傷を防止する。
【０００９】
【発明の実施の形態】
以下、本発明のカード発行装置の実施の一形態の構成を図面を参照して説明する。
【００１０】
図２および図３において、１はカード発行装置本体で、このカード発行装置本体１は、蓋体２にて開閉される前面が開放された箱状の本体ケース３を有し、この本体ケース３の底部には、転倒防止用脚部４が設けられている。
【００１１】
そして、蓋体２の正面上部には、見本６を照光する照明手段７を備えた見本展示部８が設けられている。また、見本展示部８の下部には、各見本６に対応する複数の選択ボタン９，９が配設されている。さらに、蓋体２には、見本展示部８の下方略中央に紙幣投入口11および釣り紙幣払出口12が設けられ、紙幣投入口11の一側には投出口であるカード投出口13が設けられている。
【００１２】
一方、カード発行装置本体１の内部には、上部がカード投出口13に対応して上下方向に沿ってカード投出ユニット15が配設されているとともに、上部が紙幣投入口11に対応し下部が釣り紙幣払出口12に対応して上下方向に沿って紙幣処理ユニット16が配設されている。そして、紙幣処理ユニット16は、紙幣投入口11から投入された図示しない紙幣を受け入れ、識別および収納するとともに、図示しない釣り紙幣を釣り紙幣払出口12から投出する。
【００１３】
また、カード投出ユニット15は、図１ないし図３に示すように、下面を開口しプリペイドカードなどのカード17を積層状態で収納する箱状のカード収納部21を見本の数に対応して上下方向に位置して複数設けている。そして、カード収納部21の下部には、下面の開口に臨んで内部に積層収納された複数のカード17の最下位のカード17のみを１枚ずつ繰り出すカード繰出手段22がそれぞれ設けられている。さらに、カード収納部21の下部には、積層収納するカード17の有無を検知するカード検知手段23がそれぞれ設けられている。
【００１４】
そして、カード繰出手段22は、前後方向に沿って棒状のガイド軸25を有し、このガイド軸25に繰出用モータ26の駆動にて前後方向に移動するスライド体27が保持されている。また、スライド体27の上部には、後方に向けて肉薄となる楔状の繰出部材28が、カード収納部21内に突出して一体的に設けられている。そして、この繰出部材28の上面略中央には、カード17が１枚ずつ係止される段差状の係止部29が切欠形成されている。また、カード収納部21の下端後部には、繰出部材28の移動にて繰り出されるカード17の厚さを規制する厚み規制部30が設けられ、この厚み規制部30にてカード17が１枚ずつ繰り出されるカード繰出口31を開口形成している。
【００１５】
さらに、カード収納部21の後方には、これら各カード収納部21，21から繰り出されるカード17を上方へ搬送する搬送手段である上昇搬送手段33が配設されている。そして、この上昇搬送手段33は、上下方向に複数列設けられたプーリ34に複数のカード収納部21，21のカード繰出口31，31に臨んで上下方向に沿って無端状の搬送ベルト35が掛け渡された搬送コンベア36を有している。なお、搬送ベルト35は、途中に張力調整部37に掛け渡されて一定の張力で複数のプーリ34に掛け渡されている。さらに、上昇搬送手段33の下端部には、カード17を上方に搬送する正転方向および下方に搬送する逆転方向の両方向に搬送ベルト35を駆動させる搬送用モータ38が配設されている。
【００１６】
また、上昇搬送手段33には、各カード収納部21，21の後方に上下方向に配設された一対の従動プーリ40，40に無端状の従動ベルト41が掛け渡され下端部がカード繰出口31に臨んた従動コンベア42がそれぞれ配設されている。そして、従動ベルト41は、搬送ベルト35の前面側に接触して搬送ベルト35の回転により従動し、搬送ベルト35および従動ベルト41に挟持されてカード17が搬送される。
【００１７】
さらに、各従動コンベア42，42の下端部には、従動ベルト41に接触して従動する取り込みローラ44がそれぞれ配設されている。また、この取り込みローラ44には、カード繰出口31に対応する下側の従動プーリ40に掛け渡された従動ベルト41の曲率と略同等の曲率で、カード繰出口31から繰り出され従動ベルト41および取り込みローラ44間に挟持されたカード17を上方へ案内する彎曲した案内部45を有したガイド部材46が取り付けられている。
【００１８】
そして、従動コンベア42の従動ベルト41と取り込みローラ44との接触位置である挟持位置は、カード収納部21のカード繰出口31に対向した後方に位置し、最後方位置へ移動された繰出部材28の係止部29から挟持位置までの距離は、カード17の長さ寸法より短く設定される。さらに、上昇搬送手段33の搬送コンベア36の搬送ベルト35の回転速度は、繰出部材28の移動速度であるカード17の繰出速度よりも速く設定される。これにより、繰出部材28にて繰り出されるカード17は、繰出部材28が最後方位置に移動するまでに従動ベルト41および取り込みローラ44にて挟持され、ガイド部材46にて上方に案内されつつ搬送ベルト35および従動ベルト41間に引き取られるように挟持されて搬送される。
【００１９】
一方、上昇搬送手段33の上部には、カード処理部50が配設されている。このカード処理部50は、独立して駆動する一対のローラ51，51が上下に位置して配設され、これらローラ51，51の上下間に搬送されたカード17の磁気データを読み取りおよび書き込む磁気ヘッド52を配設している。さらに、ローラ51，51の上方には、ローラ51，51間に挟持されて搬送されるカード17の上方への移動を規制する移動規制部53が設けられ、カード17が抜け落ちないようになっている。
【００２０】
また、上昇搬送手段33の上端部およびカード処理部50の直下部には、前方のカード投出口13に向けて延出された搬送手段である投出搬送手段54が配設されている。この投出搬送手段54は、複数の投出プーリ55，55にて長手方向が前後方向で上昇搬送手段33の搬送ベルト35に当接する立ち上げる部分を有した略倒Ｌ字状に無端状の第１の投出ベルト56を張設した第１投出コンベア57を備えている。さらに、この第１投出コンベア57の下部後側には、第１の投出ベルト56に当接し前後方向に沿って挟持プーリ58，58に無端状の第２の投出ベルト59を張設した第２投出コンベア60が配設されている。
【００２１】
そして、上昇搬送手段33の搬送ベルト35と第１投出コンベア57の第１の投出ベルト56との枝分かれ状に交差する部分である第１の分岐部分には、上昇搬送手段33のガイド部材46と同様に、搬送コンベア36および第２投出コンベア60に対向する投出プーリ55に掛け渡された第１の投出ベルト56の曲率と略同等のカード案内部61を設けたガイド体62が回動可能に配設されている。また、このガイド体62の下部前側には、下端部を前方に引っ張るコイルスプリングなどの弾性部材63が設けられ、この弾性部材63にてカード案内部61が上昇搬送手段33の搬送経路中に突出するようになっている。すなわち、上昇搬送手段33にて上方に搬送されたカード17は、弾性部材63の弾性力に抗してガイド体62を回動させて、そのままガイド体62を乗り上げるように上方に移動する。また、上方から下方に搬送されるカード17は、ガイド体62のカード案内部61にて案内されて第１投出コンベア57の第１の投出ベルト56および第２投出コンベア60の第２の投出ベルト59間に挟持されてカード投出口13に向けて搬送される。
【００２２】
なお、この投出搬送手段54は、図４に示すように、上昇搬送手段33のプーリ34、第１投出コンベア57の投出プーリ55および第２投出コンベア60の挟持プーリ58にて駆動伝達用ベルト65が掛け渡されて、搬送ベルト35および第２の投出ベルト59が同方向に回転駆動し、第１の投出ベルト56が反対方向に回転駆動、すなわち搬送ベルト35が逆転駆動する際に第１の投出ベルト56および第２の投出ベルト59がカード17を挟持して投出する方向に回転駆動する。
【００２３】
また、第１投出コンベア57の下部前側には、一端側が回動可能に支持手段となるシャフト67に軸支された爪状の振分手段を構成する振分レバー68が配設されている。そして、この振分レバー68の下方には、上方に向けて開口しカード17を積層状態で収納する箱状の回収部69が配設されている。この振分レバー68は、図５に示すように、一端側が第１投出コンベア57および第２投出コンベア60との前側接触位置である第２の分岐部分に向けて他端側がシャフト67に軸支されている。さらに、振分レバー68は、軸支するシャフト67の端部に一体的に設けた操作腕部70を介してソレノイドなどの回動手段である駆動手段71を接続している。
【００２４】
そして、この駆動手段71の駆動により、振分レバー68は、図６に示す先端部が投出搬送手段54によるカード17の搬送経路であるカード17の通過位置内に下側縁が位置するように突出し搬送されるカード17が下側縁に案内されて回収部69に回収される回収位置と、図７に示す投出搬送手段54によるカード17の搬送経路であるカード17の通過位置内に突出せずカード17をカード投出口13にそのまま搬送、あるいは上側縁のみ突出して上側縁にて案内しつつカード17をカード投出口13に搬送させる状態の投出位置とに回動される。なお、振分レバー68は、図示しない付勢手段や弾性手段などにて常時回収位置となるように支持され、ソレノイドの励磁などの駆動手段71の駆動にて投出位置となるようになっている。
【００２５】
さらに、振分レバー68の上縁には、楔状に切り欠かれた切込部73が設けられている。なお、この切込部73は、振分レバー68が回収位置に位置する状態でカード投出口13に対向する位置にカード投出口13に向けて拡開するように切欠形成されている。
【００２６】
また、第１投出コンベア57の前端部には投出ローラ75が接触して設けられ、第１の投出ベルト56および第２の投出ベルト59にて挟持されつつ搬送され振分レバー68の上縁を乗り越えて搬送されたカード17をカード投出口13に案内支持する。
【００２７】
さらに、投出搬送手段54の前方には、カード投出口13に隣接して上下に軸支された一対の保持ローラ76，76が設けられ、第１の投出ベルト56および投出ローラ75にて繰り出されたカード17を落下せずにカード投出口13に案内して保持する。
【００２８】
次に、上記実施の一形態の動作を説明する。
【００２９】
まず、待機状態では、カード繰出手段22のスライド体27は、カード収納部21に対して前側に位置して繰出部材28は退避位置にある。この状態で、カード収納部21内にカード17が収納され、カード検知手段23が閉成されてカード17を検知する場合、図示しない制御手段がカード17を販売可能の状態と判断する。一方、カード検知手段23が開放されてカード17を検知しない場合、制御手段がカード17を販売不可の状態と判断して、図示しない表示手段などにて売り切れ状態を表示したり、対応する選択ボタン９の無効化処理などを行う。
【００３０】
そして、カード17の販売可能状態において、利用者が紙幣を紙幣投入口11から挿入すると、紙幣処理ユニット16が紙幣を受け入れ、識別や収納などの処理を行う。次に、選択ボタン９が押されると、この選択ボタン９に対応するカード17を収納するカード収納部21のカード繰出手段22が駆動する。すなわち、所定のカード繰出手段22の繰出用モータ26が駆動して、スライド体27がガイド軸25をカード発行装置本体１の背面側である後方に移動し、このスライド体27に一体的に設けられた繰出部材28がカード収納部21の底部を後方に向けて移動する。この繰出部材28の移動により、繰出部材28の係止部29にカード収納部21内の最下位のカード17の縁が係止されて、カード収納部21のカード繰出口31から繰り出される。
【００３１】
また、選択ボタン９の操作により、上昇搬送手段33の搬送用モータ38が正転方向に駆動する。この上昇搬送手段33の駆動により、カード繰出口31から繰り出されたカード17は、回転する上昇搬送手段33の従動コンベア42の従動ベルト41および取り込みローラ44にて挟持されて受け取られ、ガイド部材46の案内部45にて上方に案内されつつ搬送ベルト35および従動ベルト41間に引き取られるように挟持されて上方に向けて搬送される。さらに、上昇搬送手段33にて上方に搬送されるカード17は、ガイド体62を弾性部材63の弾性力に抗して回動させてそのまま乗り上げるようにカード処理部50へ搬送される。なお、カード繰出手段22は、カード17を繰り出した後、繰出用モータ26を反転させて繰出部材28を再び退避位置に移動させて待機状態となる。
【００３２】
そして、カード処理部50に送り込まれたカード17は、ローラ51，51にて搬送保持されつつ磁気ヘッド52にてあらかじめ記録されたデータが読み取られるとともに所定のデータが記録され、このデータの記録後、反転するローラ51にて下方に搬送される。なお、このデータの記録後、上昇搬送手段33の搬送用モータ38は逆転駆動される。そして、カード処理部50から繰り出されたカード17は、上昇搬送手段33の搬送ベルト35および投出搬送手段54の第１投出コンベア57の第１の投出ベルト56間に挟持されつつ搬送され、ガイド体62のカード案内部61にて第１の分岐部分から上昇搬送手段33による上昇搬送経路から投出搬送手段54による投出搬送経路に送られる。なお、投出搬送手段54は、上昇搬送手段33の逆転により、カード17を投出する方向に駆動している。
【００３３】
ここで、カード17にデータの誤りなどがなくカード17が正常な場合、ソレノイドの励磁などの駆動手段71の駆動により振分レバー68を図７に示す投出位置に移動する。そして、投出搬送手段54にて搬送されるカード17は、振分レバー68の上側縁に案内されつつ第１の投出ベルト56および投出ローラ75間に送られ、さらに保持ローラ76，76間に挟持されて、カード投出口13から投出される。なお、投出搬送手段54の第１の投出ベルト56および投出ローラ75による挟持が解除された場合でも、カード17は落下せず、図８に示すように、保持ローラ76，76にて挟持されてカード投出口13が一端側が突出するように保持された状態となる。
【００３４】
また、カード17にデータの誤りなどがありカード17が不良の場合、ソレノイドの励磁などの駆動手段71の駆動を行わず、振分レバー68を図６に示す回収位置に保持する。そして、投出搬送手段54にて搬送されるカード17は、振分レバー68の下側縁に案内されつつ回収部69内に回収される。なお、この異常なカード17の回収後は、正常なカード17が投出されるまで投出動作が繰り返される。また、回収部69に回収された異常なカード17は、カード発行装置本体１の保守点検・管理などの際に本体ケース３の前面の蓋体２を開放した時に取り出して回収する。
【００３５】
一方、図９に示すように、待機状態時にカード17などの異物80がカード投出口13から挿入され、さらに投出搬送手段54の第１の投出ベルト56および投出ローラ75間に押し込んだ場合、振分レバー68は回収位置にあるため、振分レバー68の切込部73がカード投出口13に対向する。したがって、カード17などの異物80がカード投出口13から挿入されると、挿入側の縁が振分レバー68の上側縁に当接し案内されつつ切込部73に係合、あるいは振分レバー68を弾性部材63の弾性力に抗して回動しつつ切込部73に係合する。そして、振分レバー68はカード投出口13側がシャフト67にて軸支されているので、異物80の挿入方向が振分けレバー68をシャフト67から引き離す方向となるため、さらなるカード17などの異物80の挿入が阻止され、カード17など異物80の挿入を確実に防止できる。そして、切欠部73にて挿入が防止されたカード17などの異物80の除去は、引き抜くだけで容易にできる。この異物80の除去により、正常な待機状態に戻る。
【００３６】
上記実施の形態によれば、カード収納部21に収納されたカード17をカード投出口13へ搬送する投出搬送手段54のカード投出口13より搬送方向の上流側近傍に、搬送されるカード17をカード投出口13に案内する投出位置および搬送経路に突出してカード17を回収部69に案内する回収位置に回動する振分レバー68を設け、この振分レバー68にカード投出口13に対向してカード投出口13から挿入されるカード17などの異物を係止する切込部73を設けたため、カード投出口13から挿入されるカード17などの異物80が切込部73に係止されてさらなる挿入を確実に阻止でき、異物80の誤挿入による、煩雑な異物80の除去を容易にでき保守管理性を向上でき投出搬送手段などの各部位での損傷を防止できる。
【００３７】
なお、振分レバー68の切込部73は、振分レバー68が回収位置（待機位置）にある時にカード投出口13に対向する位置にある必要はなく、やや先端側に設けられていて、挿入される異物80によって振分レバー68が回動された時に投出口13に対向する位置に移動して異物80を係止するようにしてもよい。
【００３８】
なお、上記実施の一形態において、カード収納部21を上下方向に配設した構造について説明したが、例えばカード収納部21を水平方向に配設して水平方向に長手状の搬送手段を設け、この途中にカード17の磁気データの読み取りおよび記録などを行うカード処理部50や振分レバー68などを水平方向に配設するなどしてもできる。この構成によれば、ガイド部材46やガイド体62などが不要となり、構成が簡単となるとともに、ポリエチレンテレフタレート製のカードなどの比較的剛性が高く変形しにくいカード17でも容易に搬送・投出できる。
【００３９】
【発明の効果】
請求項１記載のカード発行装置によれば、カード収納部からカードを投出口へ搬送する搬送手段の投出口より上流側に、搬送されるカードを投出口およびカードを回収する回収部に振り分ける振分手段を設け、この振分レバーに投出口に投出口から挿入される異物を係止する逆止手段を設けたため、搬送手段による搬送方向と反対方向の投出口から挿入される異物は逆止手段にて係止されて挿入を防止でき、異物の誤挿入による損傷を防止できる。さらに、カード収納部からカードを投出口へ搬送する搬送手段の投出口より上流側に、搬送されるカードを投出口に案内する投出位置およびカードの通過位置に突出してカードを回収部に案内する回収位置に回動する振分レバーを設け、この振分レバーに投出口に対向して投出口から挿入される異物を係止する切込部を切欠形成したため、簡単な構成で投出口から挿入される異物は切欠部に係止されて挿入を防止でき、異物の誤挿入による損傷を防止できる。
【図面の簡単な説明】
【図１】  本発明のカード発行装置の実施の一形態のカード処理ユニットの一部を示す説明図である。
【図２】  同上カード発行装置本体を示す正面図である。
【図３】  同上側面断面図である。
【図４】  同上上昇搬送手段および投出搬送手段の駆動伝達状況を示す説明図である。
【図５】  同上振分レバーおよび駆動手段を示す説明図である。
【図６】  同上異常のカードを回収する状況を示す説明図である。
【図７】  同上正常のカードを投出する状況を示す説明図である。
【図８】  同上正常なカードがカード投出口から投出した状況を示す説明図である。
【図９】  同上カードがカード投出口から誤挿入された状況を示す説明図である。
【符号の説明】
１    カード発行装置本体
13    投出口であるカード投出口
17    カード
21    カード収納部
33    搬送手段である上昇搬送手段
54    搬送手段である投出搬送手段
68    振分手段を構成する振分レバー
69    回収部
71    回動手段である駆動手段
73    切込部
80    異物
【図１】
0003683982.tif 000002
【図２】
0003683982.tif 000003
【図３】
0003683982.tif 000004
【図４】
0003683982.tif 000005
【図５】
0003683982.tif 000006
【図６】
0003683982.tif 000007
【図７】
0003683982.tif 000008
【図８】
0003683982.tif 000009
【図９】
0003683982.tif 000010